(57)【要約】【課題】  商品サンプルの印象を変えることなく商品サンプルを強調し、商品の購入をユーザに促すことができる自動販売機の商品サンプル展示装置を提供する。【解決手段】  自動販売機１に設けられ、販売する商品の商品サンプルＳを展示する自動販売機の商品サンプル展示装置１０であって、透明な材料で構成された商品サンプル展示台１２と、商品サンプル展示台１２を照明するための発光体３７と、を備え、商品サンプル展示台１２は、商品サンプルＳを展示するための展示台本体１３と、展示された商品サンプルＳの前側に配置された前板１８と、発光体３７に対向するように配置され、発光体３７からの光を導入し、前板１８内に導くための光導入部２３と、を有している。【選択図】  図３
2005228265.tif 000002
【特許請求の範囲】
【請求項１】
自動販売機に設けられ、販売する商品の商品サンプルを展示する自動販売機の商品サンプル展示装置であって、
透明な材料で構成された商品サンプル展示台と、
当該商品サンプル展示台を照明するための発光体と、を備え、
前記商品サンプル展示台は、
前記商品サンプルを展示するための展示台本体と、
前記展示された商品サンプルの前側に配置された前板と、
前記発光体に対向するように配置され、前記発光体からの光を導入し、前記前板内に導くための光導入部と、
を有していることを特徴とする自動販売機の商品サンプル展示装置。
【請求項２】
前記前板は、これに対応する前記商品サンプルが示す商品の商品情報を表示するための商品情報表示部を有していることを特徴とする請求項１に記載の自動販売機の商品サンプル展示装置。
【請求項３】
前記前板は、前記展示台本体に対して着脱自在に構成されていることを特徴とする請求項１または２に記載の自動販売機の商品サンプル展示装置。
【請求項４】
前記前板は、前記商品サンプルを前記展示台本体との間に保持するために、前記展示台本体との間に前記商品サンプルの前後方向の長さに応じた間隔を存して配置されていることを特徴とする請求項１ないし３のいずれかに記載の自動販売機の商品サンプル展示装置。
【請求項５】
前記前板および前記光導入部の少なくとも一方の表面には、透過する光を散乱させるために凹凸が形成されていることを特徴とする請求項１ないし４のいずれかに記載の自動販売機の商品サンプル展示装置。
【請求項６】
前記商品サンプル展示台は、前記発光体と前記光導入部の間、および前記前板の表面の少なくとも一方に着脱自在に配置され、透過する光を変色させるための有色の透明な光変色部をさらに有していることを特徴とする請求項１ないし５のいずれかに記載の自動販売機の商品サンプル展示装置。
【請求項７】
前記発光体は、前記商品サンプル展示台に対して着脱自在に構成されていることを特徴とする請求項１ないし６のいずれかに記載の自動販売機の商品サンプル展示装置。
【請求項８】
前記発光体に接続され、当該発光体の点滅を制御するための制御装置をさらに備えていることを特徴とする請求項１ないし７のいずれかに記載の自動販売機の商品サンプル展示装置。
【請求項９】
前記発光体は、発光ダイオードによって構成されていることを特徴とする請求項１ないし８のいずれかに記載の自動販売機の商品サンプル展示装置。
【発明の詳細な説明】
【技術分野】
【０００１】
本発明は、自動販売機に設けられ、販売する商品の商品サンプルを展示する自動販売機の商品サンプル展示装置に関する。
【背景技術】
【０００２】
従来の自動販売機の商品サンプル展示装置として、例えば特許文献１に開示されたものが知られている。この展示装置は、自動販売機の前部に設けられており、その商品展示室内に、販売する商品の商品サンプルを載置する多数の展示台を備えている。各展示台は、皿状に形成され、その周縁部には、上方に突出する発光部を有する複数の発光ダイオードが設けられており、それらの内側にも、複数の発光ダイオードが同様に設けられている。また、商品サンプルは、光透過材によって筒状に形成され、展示台に載置されている。商品サンプルが載置された状態では、周縁部の複数の発光ダイオードは、商品サンプルを取り囲んでおり、内側の複数の発光ダイオードは、商品サンプルの内側に位置している。このような構成によれば、周縁部の発光ダイオードによる商品サンプルの外部からの照明、内側の発光ダイオードによる内部からの照明、および両者による照明のいずれかに切り換えることにより、照明の強弱などを変化させることができ、それにより、自動販売機の設置環境に応じた照明で商品サンプルを強調することができる。
【０００３】
しかし、この従来の展示装置には、以下のような問題がある。すなわち、この展示装置では、発光ダイオードからの光により、商品サンプルを直接、照明することによって、商品をユーザにアピールするものであるので、照明する光によっては、商品サンプルと実際の商品の印象が異なってしまうおそれがある。例えば光に色がある場合、照明された商品サンプルの外観上の色もまた変化するので、商品との間の印象の相違が大きくなるおそれがある。このような不具合を避けるために、白色の光による照明を用いた場合、商品サンプルを効果的に強調することができず、商品の販売の促進につながらないおそれがある。
【０００４】
本発明は、このような課題を解決するためになされたものであり、商品サンプルの印象を変えることなく商品サンプルを強調し、商品の購入をユーザに促すことができる自動販売機の商品サンプル展示装置を提供することを目的としている。
【０００５】
【特許文献１】特開２００１−３５７４３８号公報  （第３，４頁、第１，４図）
【発明の開示】
【課題を解決するための手段】
【０００６】
この目的を達成するために、本発明の請求項１に係る発明は、自動販売機に設けられ、販売する商品の商品サンプルを展示する自動販売機の商品サンプル展示装置であって、透明な材料で構成された商品サンプル展示台と、商品サンプル展示台を照明するための発光体と、を備え、商品サンプル展示台は、商品サンプルを展示するための展示台本体と、展示された商品サンプルの前側に配置された前板と、発光体に対向するように配置され、発光体からの光を導入し、前板内に導くための光導入部と、を有していることを特徴とする。
【０００７】
この自動販売機の商品サンプル展示装置によれば、発光体からの光は、これに対向するように配置された透明な商品サンプル展示台の光導入部から導入され、前板内へと導かれる。前板の内部に導入された光は、外部との境界において、一部が反射されてそのまま内部を進行し、残りのものは屈折して外部に放射される。前板内部の光は、このような部分的な反射を繰り返すことにより、減衰しながら前板内部を進行する。このとき、外部に放射された光により、ユーザには、前板自体が発光しているように認識され、それにより、この前板の後方に配置された商品サンプルが強調されることによって、その商品サンプルが示す商品の購入を促すことができる。
【０００８】
また、前板が板状であることにより、これを正面から見たときに、ユーザには、特に外縁部がより強く発光しているかのように認識され、前板が光で縁取られているような印象的なものに見える。それにより、対応する商品サンプルを効果的に強調することができ、商品の販売をより促進することができる。さらに、内部に導入された光は、前板のみが発光しているかのように見せるだけであり、商品サンプル自体を直接、照明するものではないので、有色の光であった場合でも、商品サンプルと実際の商品の印象を、大きく相違させることなく販売することができる。
【０００９】
請求項２に係る発明は、前板は、これに対応する商品サンプルが示す商品の商品情報を表示するための商品情報表示部を有していることを特徴とする。
【００１０】
この自動販売機の商品サンプル展示装置によれば、前板が商品情報表示部を有していることにより、前板内に導入された光が放射されるのに併せて、これに表示された商品情報も強調される。それにより、商品の購入を、ユーザにより効果的に促すことができる。
【００１１】
請求項３に係る発明は、請求項１または２に記載の自動販売機の商品サンプル展示装置において、前板は、前記展示台本体に対して着脱自在に構成されていることを特徴とする。
【００１２】
この自動販売機の商品サンプル展示装置によれば、前板が着脱自在に構成されていることにより、例えば商品の交換に伴い、一部の商品サンプルを交換する場合、前板もまた、交換する商品サンプルに対応する一部のものを交換するだけでよい。したがって、販売される商品の品目が頻繁に入れ替わるような場合でも、商品サンプル展示台全体を交換することなく、また、前述した請求項１に係る発明による効果を損なうことなく、商品の変更に容易に対応することができる。
【００１３】
請求項４に係る発明は、請求項１ないし３のいずれかに記載の自動販売機の商品サンプル展示装置において、前板は、商品サンプルを展示台本体との間に保持するために、展示台本体との間に商品サンプルの前後方向の長さに応じた間隔を存して配置されていることを特徴とする。
【００１４】
この自動販売機の商品サンプル展示装置によれば、前板は、展示台本体との間に前後方向に間隔を存して配置されており、両者の間に商品サンプルが設置されている。また、展示台本体と前板との間の間隔は、商品サンプルの前後方向の長さに応じて設定されており、これにより、商品サンプルは、展示台本体と前板の間に大きな隙間なく設置される。すなわち、この前板は、商品サンプルのホルダとしても機能するので、商品サンプルを展示台本体に安定した状態で保持することができる。
【００１５】
請求項５に係る発明は、請求項１ないし４のいずれかに記載の自動販売機の商品サンプル展示装置において、前板および光導入部の少なくとも一方の表面には、透過する光を散乱させるために凹凸が形成されていることを特徴とする。
【００１６】
この自動販売機の商品サンプル展示装置によれば、発光体からの光が、光導入部に導入される際、および／または前板の表面から放射される際、これらのうちの少なくとも一方に形成された凹凸により、光の屈折角度が不規則に変化することによって、光が散乱する。これにより、前板が全体的に発光しているように見せることができるので、これをさらに印象的なものにすることができ、対応する商品サンプルを、より効果的に強調することができる。また、例えば、前板の任意の部分にのみ凹凸を形成した場合、その部分のみが特に強く発光しているように見せることができる。
【００１７】
請求項６に係る発明は、請求項１ないし５のいずれかに記載の自動販売機の商品サンプル展示装置において、商品サンプル展示台は、発光体と光導入部の間、および前板の表面の少なくとも一方に着脱自在に配置され、透過する光を変色させるための有色の透明な光変色部をさらに有していることを特徴とする。
【００１８】
この自動販売機の商品サンプル展示装置によれば、発光体からの光は、光変色部が発光体と光導入部の間に配置されている場合には、透光性を有する光変色部を透過した後、光導入部から導入される。この光変色部は有色であることにより、発光体からの光は、透過することによって変色し、この変色した光が光導入部から導入される。したがって、光変色部の色に応じて、導入される光、すなわち前板の発光色を変化させることができるので、例えば商品サンプルが変更された場合でも、光変色部を、異なる色のものに取り替えるだけで、変更された商品サンプルを、これに適した色の光で強調することができる。
【００１９】
また、光変色部が前板の表面に配置されている場合には、前板に光が導入される直前、または前板から光が放射された直後に光変色部を透過することにより、その色が変化し、光変色部が発光体と光導入部の間に配置されている場合と同じ効果を得ることができる。さらに、光変色部が上記の双方に配置されている場合には、例えば２つの光変色部の色を、互いに異ならせることにより、両光変色部の色に応じて、より多彩な色の光を前板から放射させることができる。
【００２０】
請求項７に係る発明は、請求項１ないし６のいずれかに記載の自動販売機の商品サンプル展示装置において、発光体は、商品サンプル展示台に対して着脱自在に構成されていることを特徴とする。
【００２１】
この自動販売機の商品サンプル展示装置によれば、発光体が、商品サンプル展示台に対して着脱自在に構成されていることにより、発光体を容易に交換することができる。したがって、例えば、故障などにより交換が必要になった場合や、商品の変更に伴い商品サンプルを変更し、発光体をこれに適したものに交換する場合などに、発光体の交換を容易に行うことができる。
【００２２】
請求項８に係る発明は、請求項１ないし７のいずれかに記載の自動販売機の商品サンプル展示装置において、発光体に接続され、発光体の点滅を制御するための制御装置をさらに備えていることを特徴とする。
【００２３】
この自動販売機の商品サンプル展示装置によれば、発光体に接続された制御装置によって、その点滅が制御される。前述したように、前板は、発光体の発光により、それ自体が発光しているかのように見えるものであるため、発光体の点滅によって、商品をユーザにより効果的にアピールすることができ、商品の購入を、ユーザにより強く促すことができる。
【００２４】
請求項９に係る発明は、請求項１ないし８のいずれかに記載の自動販売機の商品サンプル展示装置において、発光体は、発光ダイオードによって構成されていることを特徴とする。
【００２５】
この自動販売機の商品サンプル展示装置によれば、発光体が発光ダイオードで構成されており、発光ダイオードは、一般に知られているように、低消費電力かつ長寿命である。したがって、これを発光体として用いることにより、発光体の故障頻度を低減させることができ、展示装置のメンテナンス性を向上させることができる。
【図面の簡単な説明】
【００２６】
【図１】本発明による自動販売機の商品サンプル展示装置を含むタバコの自動販売機を示す正面図である。
【図２】図１の展示装置の商品サンプル展示台を示す斜視図である。
【図３】図２の線Ａ−Ａに沿う商品サンプル展示台の断面図である。
【図４】図１の展示装置の照明装置を示す斜視図であり、（ａ）基板および基板取付け台が互いに分離した状態、および（ｂ）基板を基板取付け台に取り付けた状態を、それぞれ示す。
【発明を実施するための最良の形態】
【００２７】
以下、図面を参照しながら、本発明の好ましい実施形態を詳細に説明する。図１は、本発明を適用した商品サンプル展示装置（以下、単に「展示装置」という）１０を含むタバコの自動販売機１を示している。この自動販売機１は、前面が開口した縦長ボックス状の販売機本体２、および販売機本体２の前面を開閉するメインドア３を備えている。メインドア３の下部には、ユーザが商品であるタバコを取り出すための商品取出し部４が設けられている。また、この自動販売機１のメインドア３には、通常のタバコの自動販売機と同様に、商品選択ボタン３ａ、金銭投入口３ｂ，３ｃおよびつり銭返却口３ｄなどが設けられている。
【００２８】
展示装置１０は、メインドア３に設けられている。この展示装置１０は、ディスプレイ１１、およびその内部に設けられた複数の商品サンプル展示台（以下、単に「展示台」という）１２、および展示台１２を取り付けるための背板５などを備えている。ディスプレイ１１は、メインドア３の上部から中央にわたって設けられており、ユーザが自動販売機１に正対したときに、商品の選択ができるように、内部の展示台１２に展示された商品サンプルＳなどが見えるようになっている。
【００２９】
ディスプレイ１１内には、上下方向に４段の展示台１２が並んでいる。上側の３段には、それぞれ２つの展示台１２が左右方向に並ぶように設けられており、最下段には、１つの展示台１２が設けられている。図２および３に示すように、各展示台１２は、例えば５つの商品サンプルＳを展示するためのものであり、全体として左右方向に延びており、展示台本体１３、および照明装置１５などを備えている。展示台本体１３は、例えば無色透明の合成樹脂の成形品によって一体に構成されており、基部１６、この基部１６から前方に突出する商品サンプル設置部１７、およびこの商品サンプル設置部１７の前端に設けられた複数の前板取付け部１９を有している。商品サンプル設置部１７の上面は、平らな商品サンプル設置面１７ａになっており、この商品サンプル設置面１７ａ上に左右方向に等間隔に設けられた４つの仕切り板１７ｂによって、商品サンプル設置部１７が５つの部分に区画されている。これにより、区画された各部分に１つの商品サンプルＳが設置される。
【００３０】
前板取付け部１９は、商品サンプルＳごとに設けられており、その前後方向の中央には、前板１８を取り付けるための溝１９ａが左右方向に連続して延びている。前板１８もまた、無色透明の合成樹脂によって構成されており、その後面には、梨地仕上げが施されていて、それにより微細な凹凸が形成されている。この前板１８は、その下端部が溝１９ａに挿入されることにより、前板取付け部１９に着脱自在に取り付けられている。溝１９ａは、基部１６から、商品サンプルＳの奥行きとほぼ同じ間隔を存する位置に形成されていて、それにより、商品サンプルＳは、基部１６と前板１８の間にほとんど隙間なく設置される。
【００３１】
また、前板取付け部１９の前端部には、左右２つのホルダ２１，２１が設けられている。前板１８が取り付けられた状態では、この前板１８とホルダ２１，２１の間に間隙が形成されており、この間隙に、商品情報表示板２０ａ（商品情報表示部）およびカラーフィルム２０ｂ（光変色部）が、前板１８に重ねて貼り付けられた状態で挿入される。カラーフィルム２０ｂは、前板１８とほぼ同じ形状を有しており、例えば透明かつ有色の合成樹脂によって構成されている。また、商品情報表示板２０ａは、カラーフィルム２０ｂよりも高さが低く、その前面には、この商品情報表示板２０ａの後ろ側の商品サンプルＳに対応する商品の商品情報として、例えば値段や販売促進のための宣伝文などが表示されている。
【００３２】
展示台本体１３の左端部および右端部には、隣接する展示台１２，１２を互いに連結するための連結部２５および連結受け部２６がそれぞれ設けられている。連結部２５は、展示台本体１３の左端から側方に突出しており、ほぼ板状に形成されている。また、その後部はほぼ水平に、前部は下方に傾斜するように、それぞれ延びており、それにより、全体として鈍角に屈曲した断面形状を有している。連結受け部２６は、連結部２５と相補的な断面形状を有している。以上の構成により、隣接する２つの展示台１２，１２を、左側の展示台１２の連結受け部２６が右側の展示台１２の連結部２５に重なるように載置することにより、両展示台１２，１２は、両者２５，２６を介して互いに隙間なく当接する。これにより、展示台１２，１２を、互いに位置決めされ、段差のない状態で容易に並ベることができる。
【００３３】
また、基部１６の後端には、後方に突出する複数のフック部２２が設けられている。このフック部２２は、基部１６の左右の両端部に２つずつ、左右方向に並ぶように設けられている。また、両端部の各２つのフック部２２，２２の下方には、基部１６から後方に突出する突起部２２ａが設けられており、この突起部２２ａは、平面的にはフック部２２，２２の間の中央に位置している。背板５には、展示台１２のフック部２２および突起部２２ａに対応するように、複数の取付け孔５ａおよび５ｂが形成されている。図３に示すように、展示台１２は、これらのフック部２２、突起部２２ａ、および取付け孔５ａ，５ｂを介して、背板５に取り付けられている。この状態では、フック部２２が、背板５の上側の取付け孔５ａに通され、背板５の背面に係合するとともに、突起部２２ａが下側の取付け孔５ｂに通され、基部１６が背板５の前面に当接しており、すなわち、展示台１２は、フック部２２が背板５の後面に引っ掛かった状態で、背板５に取り付けられている。
【００３４】
展示台本体１３の前板１８の後方には、後述する照明装置１５からの光を、前板１８内に導入するための光導入部２３が一体に設けられている。この光導入部２３は、板状のものであり、商品サンプル設置部１７の前端部から下方に突出し、展示台本体１３の左右方向にわたって延びている。この光導入部２３の後面には、前述した前板１８と同様に梨地仕上げが施されており、それにより、全体に微細な凹凸が形成されている。また、後面には、これを覆うようにカラーフィルム２４（光変色部）が、例えば両面テープによって着脱自在に貼り付けられている。このカラーフィルム２４もまた、前述した前板１８のカラーフィルム２０ｂと同様に、透明かつ有色の合成樹脂によって構成されている。
【００３５】
照明装置１５は、展示台本体１３の下方に設けられている。図４に示すように、この照明装置１５は、基板取付け台３５およびこれに着脱自在に取り付けられた基板３６を有している。基板３６は、細長い板状のものであり、基板取付け台３５とともに展示台本体１３に取り付けられ、その状態では、例えば２つの商品サンプルＳにわたるように左右方向に延びている。また、この基板３６の前面には、例えば６つの取付け穴（図示せず）が、左右方向にほぼ等間隔に形成されており、各取付け穴に、発光ダイオード３７（発光体）が埋め込まれ、基板３６の前面から突出している。これらの発光ダイオード３７は、それぞれ白色光を発光するものであり、また、基板３６の後面には、この基板３６と後述する制御装置を接続するためのコネクタ４０が設けられている。
【００３６】
基板取付け台３５もまた、無色透明の合成樹脂の成形品によって所定の形状に形成されており、左右方向に延びている。基板取付け台３５には、その前壁４１から前方に突出する左右２つの突起３８，３８と、後端部から上方に突出する左右２つの係合部３９，３９が設けられており、これらの突起３８，３８および係合部３９，３９が、展示台本体１３に形成された取付け孔２７および突起２８にそれぞれ係合することにより、照明装置１５は、展示台本体１３に着脱自在に取り付けられている。また、基板取付け台３５の後端部のほぼ中央には、コネクタ４０からのケーブル（図示せず）を束ねるためのフック４３が後方に突出するように設けられている。また、基板３６は、基板取付け台３５の前壁４１と、これよりもやや後方に立設された左右２つのつめ部４２，４２との間に嵌め込まれることにより、基板取付け台３５に着脱自在に取り付けられている。
【００３７】
図３に示すように、照明装置１５が展示台本体１３に取り付けられた状態では、発光ダイオード３７は、前述した光導入部２３の後面に、これに貼り付けられたカラーフィルム２４を介して対向しており、左右の各３つの発光ダイオード３７が、左右の商品サンプルＳの真下の位置に、それぞれ配置されている。また、背板５の後方には、発光ダイオード３７の点滅を制御するための制御装置（図示せず）が設けられている。この制御装置は、例えばマイクロコンピュータなどによって構成されており、照明装置１５のコネクタ４０からのケーブルが、背板５に形成されたケーブル用の孔（図示せず）に通され、制御装置に接続されている。発光ダイオード３７の点滅は、この制御装置に組み込まれたプログラムに従って制御される。例えば、発光ダイオード３７の点滅は、１つの商品サンプルＳに対応する３つの発光ダイオード３７を１つのグループとして、グループごとに交互に所定の間隔で点滅させたり、販売を促進したい商品の商品サンプルＳに対応する発光ダイオード３７のみを発光させたりするなど、商品の販売者の意図に応じて、適宜、設定される。
【００３８】
次いで、照明装置１５による前板１８の照明について説明する。発光ダイオード３７からの光は、まず、これと対向する光導入部２３に導入される。その際、光導入部２３の後面に貼り付けられたカラーフィルム２４によって、光の色が変化する。さらに、光導入部２３の後面に梨地仕上げが施されていることにより、光は、これに導入される際、その屈折角度が不規則に変化することにより散乱する。光導入部２３内に導入された光の一部は、これを透過することにより、その前方の前板１８に向かって放射され、前板１８内に導入される。前板１８の後面にもまた梨地仕上げが施されていることにより、光は、前板１８に導入される際にも、その屈折角度が不規則に変化することによってさらに散乱する。また、光導入部２３から放射されなかった残りの光のうち、その一部は、光導入部２３と一体の前板取付け部１９や商品サンプル設置部１７などの内部を、外部との境界において反射されながら進行し、残りのものは、外部との境界において、屈折して外部に放射される。このようにして内部を進行した一部の光は、前板１８に到達し、その内部に導かれる。
【００３９】
前板１８内に導かれた光もまた、外部との境界において、その一部が反射されながら内部を進行し、残りのものは屈折して外部に放射される。このような部分的な反射が前板１８の内部において繰り返されることにより、光は、減衰しながら前板１８内部を進行する。このとき、外部に放射された光により、ユーザには、前板１８自体が発光しているように認識される。前板１８から放射される光は、発光ダイオード３７からのものであるので、ユーザによって認識される前板１８の点滅は、前述した制御装置による発光ダイオード３７の点滅に従う。
【００４０】
以上のように、本実施形態の展示装置１０によれば、発光ダイオード３７からの光は、これに対向するように配置された透明な展示台１２の光導入部２３から導入され、前板１８内へと導かれる。前板１８の内部に導入された光は、上述したように、外部との境界において、一部が反射されながら内部を進行し、残りのものは屈折して外部に放射される。前板１８内部の光は、このような部分的な反射を繰り返すことにより、減衰しながら前板１８内部を進行する。このとき、外部に放射された光により、ユーザには、前板１８自体が発光しているように認識され、それにより、この前板１８の後方に配置された商品サンプルＳが強調されることによって、その商品サンプルＳが示す商品の購入を促すことができる。
【００４１】
また、前板１８が板状であることにより、これを正面から見たときに、ユーザには、特に外縁部がより強く発光しているかのように認識され、前板１８が光で縁取られているような印象的なものに見える。それにより、対応する商品サンプルＳを効果的に強調することができ、商品の販売をより促進することができる。さらに、内部に導入された光は、前板１８のみが発光しているかのように見せるだけであり、商品サンプルＳ自体を直接、照明するものではないので、商品サンプルＳと実際の商品の印象を、大きく相違させることなく販売することができる。
【００４２】
また、前板１８が商品情報表示板２０ａを有していることにより、前板１８内に導入された光が放射されるのに併せて、これに表示された商品の宣伝文などの商品情報も強調される。それにより、商品の購入を、ユーザにより効果的に促すことができる。
【００４３】
また、前板１８が着脱自在に構成されていることにより、例えば商品の交換に伴い、一部の商品サンプルＳを交換する場合、前板１８もまた、交換する商品サンプルＳに対応する一部のものを交換するだけでよい。したがって、販売される商品の品目が頻繁に入れ替わるような場合でも、展示台１２全体を交換する必要がないので、商品の変更に容易に対応することができる。
【００４４】
また、前板１８は、展示台本体１３の基部１６との間に前後方向に間隔を存して配置されており、両者１８，１６の間に商品サンプルＳが設置されている。基部１６と前板１８との間の間隔は、商品サンプルＳの前後方向の長さに応じて設定されており、これにより、商品サンプルＳは、基部１６と前板１８の間に大きな隙間なく設置される。すなわち、この前板１８は、商品サンプルＳのホルダとしても機能するので、商品サンプルＳを展示台本体１３に安定した状態で保持することができる。
【００４５】
また、発光ダイオード３７からの光が、光導入部２３に導入される際、および前板１８の後面から導入される際、両者２３，１８に微細な凹凸が形成されていることにより、光の屈折角度が不規則に変化することによって、光が散乱する。これにより、前板１８が全体的に発光しているように見せることができるので、これをさらに印象的なものにすることができ、対応する商品サンプルＳを、より効果的に強調することができる。
【００４６】
また、発光ダイオード３７からの光は、カラーフィルム２０ｂ，２４が、前板１８の前面および光導入部２３の後面にそれぞれ配置されていることにより、発光ダイオード３７からの光は、これらを透過することによって変色する。したがって、両カラーフィルム２０ｂ，２４の色に応じて、ユーザが認識する前板１８の発光色を変化させることができるので、商品サンプルＳが変更された場合でも、カラーフィルム２０ｂおよび２４を、異なる色のものに取り替えるだけで、変更された商品サンプルＳを、これに適した色の光で強調することができる。また、２つのカラーフィルム２０ｂ，２４の色を、互いに異ならせることにより、両カラーフィルム２０ｂ，２４の色に応じて、より多彩な色の光を前板１８から放射させることができる。
【００４７】
また、照明装置１５の発光ダイオード３７を含む基板３６が、基板取付け台３５に対し着脱自在に構成されており、基板取付け台３５もまた、展示台本体１３に対し着脱自在に構成されていることにより、故障などによって発光ダイオード３７の交換が必要になった場合や、商品の変更に伴い商品サンプルＳを変更し、発光ダイオード３７をこれに適した異なるものに交換する場合などに、発光ダイオード３７を基板３６とともに容易に交換することができる。
【００４８】
また、発光ダイオード３７は、これに接続された制御装置によって、点滅が制御され、前板１８は、発光ダイオード３７の発光により、前板１８自体が発光しているかのように見えるものであるため、発光ダイオード３７の点滅によって、より効果的に商品をユーザにアピールすることができ、商品の購入を、ユーザにより強く促すことができる。
【００４９】
さらに、一般に知られているように、発光ダイオードは低消費電力かつ長寿命のものである。したがって、これを用いて前板１８を照明していることにより、照明装置１５の故障頻度を低減させることができ、展示装置１０のメンテナンス性を高めることができる。
【００５０】
なお、本発明は、上述した実施形態に限定されることなく、種々の態様で実施することができる。例えば、前述した実施形態では、展示台本体１３および照明装置１５の基板取付け台３５を、無色透明の合成樹脂によって構成したが、これに限定されることなく、有色かつ透明、または半透明の他の材料によって構成してもよい。また、実施形態では、照明装置１５の発光体として、白色の発光ダイオード３７を用いているが、これに限定されることなく、他の発光体、例えば発光色が異なる電球などを用いてもよい。また、実施形態では、商品情報表示板２０ａにのみ商品の商品情報を表示した例として説明したが、例えば、前板１８の前面に商品の宣伝文を刻印してもよい。それにより、その部分のみが特に強く発光しているように見せることができ、対応する商品サンプルＳをより効果的に強調することができる。
【００５１】
また、実施形態は、カラーフィルム２０ｂ，２４を、前板１８および光導入部２３にそれぞれ設けた例であるが、いずれか一方のみに設けるようにしてもよい。また、実施形態では、前板１８および光導入部２３の双方に梨地仕上げによる微細な凹凸を形成した例として説明したが、いずれか一方にのみ、形成してもよく、梨地仕上げに代えて、例えばダイヤカットを施すなど他の方法によって凹凸を形成してもよい。また、実施形態では、照明装置１５の基板３６全体を着脱自在に構成した例として説明したが、これに限定されることなく、例えば基板３６を発光体ごとに分割して設け、それぞれ個別に着脱自在に構成してもよい。また、実施形態では、各展示台１２に照明装置１５を取り付けた例を説明したが、販売を促進したい商品の商品サンプルＳの配置に合わせ、複数の展示台１２のうちの任意のものに選択的に取り付けてもよい。その他、本発明の趣旨の範囲内で、細部の構成を適宜、変更することが可能である。
【符号の説明】
【００５２】
１      自動販売機
１０      商品サンプル展示装置
１２      商品サンプル展示台
１３      展示台本体
１７ａ    商品サンプル設置面
１８      前板
２０ａ    商品情報表示板（商品情報表示部）
２０ｂ    カラーフィルム（光変色部）
２３      光導入部
２４      カラーフィルム（光変色部）
２７      発光ダイオード（発光体）
Ｓ      商品サンプル
【図１】
2005228265.tif 000003
【図２】
2005228265.tif 000004
【図３】
2005228265.tif 000005
【図４】
2005228265.tif 000006